(57)【要約】【課題】センサ端末の設置が簡単で主装置との通信が迅速に行うことが可能なセキュリティ装置を提供することを目的とする。【解決手段】主装置１は、警報モードの設定や解除をする警報手段１ｂと、警報モードを送信する第一電灯線通信手段１ａと、警報手段１ｂおよび第一電灯線通信手段１ｂを制御する制御手段１ｃとを有し、端末装置２は、主装置とデータ通信を行う第二電灯線通信手段２ａと、第二電灯線通信手段の受信データを光で通信する第一光通信手段２ｂとを有し、センサ端末３は、第一光通信手段２ｂと光通信を行う第二光通信手段３ａと、センサ手段４と接続するインターフェース手段３ｂと、電池電源３ｃとを有する。これによって、センサ端末３の設置が簡単で、センサ端末３は端末装置２と光通信で警報の設定や解除、センサ手段４の状態を迅速に主装置１へ通信することが可能となる。【選択図】図１
2006338087.tif 000002
【特許請求の範囲】
【請求項１】
商用電源で動作する主装置と、この主装置と通信を行う端末装置と、この端末装置と通信を行うセンサ端末とを備え、主装置は、警報モードの設定や解除をする警報手段と、商用電源にデータを重畳して警報モードを送信する第一電灯線通信手段と、警報手段および第一電灯線通信手段を制御する制御手段とを有し、端末装置は、主装置と電灯線を介してデータ通信を行う第二電灯線通信手段と、第二電灯線通信手段の受信データを光で通信する第一光通信手段とを有し、センサ端末は、端末装置の第一光通信手段と光通信を行う第二光通信手段と、センサ手段と接続するインターフェース手段と、電池電源とを有するセキュリティ装置。
【請求項２】
センサ端末は、センサ手段を内蔵した請求項１に記載のセキュリティ装置。
【請求項３】
主装置の第一電灯線通信手段は、複数の端末装置とデータ通信を可能にした請求項１または２に記載のセキュリティ装置。
【請求項４】
端末装置の第一光通信手段は、複数のセンサ端末と通信可能にした請求項１または２に記載のセキュリティ装置。
【請求項５】
主装置に公衆ネットワーク回線と接続可能な公衆回線通信手段を備えた請求項１に記載のセキュリティ装置。
【請求項６】
端末装置の第一光通信手段は、第三光通信手段を備えた端末機器の制御を可能にした請求項１に記載のセキュリティ装置。
【請求項７】
センサ端末の第二光通信手段は、第四光通信手段を備えたリモコンと通信可能にした請求項１に記載のセキュリティ装置。
【請求項８】
端末装置の第一光通信手段は、第四光通信手段を備えたリモコンと通信可能にした請求項１に記載のセキュリティ装置。
【発明の詳細な説明】
【技術分野】
【０００１】
本発明は、離れた部屋などの警報状態の設定や解除を迅速に行うセキュリティ装置に関するものである。
【背景技術】
【０００２】
従来、この種のセキュリティ装置は、配線施工を簡略化するために無線を用いて警報の設定、解除を行う主装置と、窓や扉に設けられたセンサ手段から構成されている（例えば、特許文献１参照）。
【０００３】
これは、図９に示すように、主装置８には、窓や扉やセンサ端末７の電池の状態を表示する窓・扉バッテリー状態表示８ａを備えている。センサ端末７には、主装置８と無線通信を行う送受信駆動回路７ａ、全体の制御を行う送受信制御回路７ｂと、センサ７ｃ、電池７ｄから構成されている。従って、主装置８からセンサ端末７迄の配線が不要になっている。また、送受信制御回路７ｂは送受信駆動回路７ａと主装置８の通信を１０分毎の間欠通信を行っている。
【特許文献１】特開平０９−１５８５６０号公報
【発明の開示】
【発明が解決しようとする課題】
【０００４】
しかしながら、前記従来の構成では、主装置８からセンサ端末７の警報モードの設定や、センサ端末７のセンサ７ｃの状態を把握するのに時間がかかるため、警報モードを設定しても動作が有効になる迄に時間がかかる他、解除する場合にも時間がかかるため解除した後、警報に引っかかり警報が鳴るなどの不便が発生するという課題を有していた。
【０００５】
本発明は、前記従来の課題を解決するもので、センサ端末の設置が簡単で主装置との通信が迅速に行うことが可能なセキュリティ装置を提供することを目的とする。
【課題を解決するための手段】
【０００６】
前記従来の課題を解決するために、本発明のセキュリティ装置は、商用電源で動作する主装置と、この主装置と通信を行う端末装置と、この端末装置と通信を行うセンサ端末とを備え、主装置は、警報モードの設定や解除をする警報手段と、商用電源にデータを重畳して警報モードを送信する第一電灯線通信手段と、警報手段および第一電灯線通信手段を制御する制御手段とを有し、端末装置は、主装置と電灯線を介してデータ通信を行う第二電灯線通信手段と、第二電灯線通信手段の受信データを光で通信する第一光通信手段とを有し、センサ端末は、端末装置の第一光通信手段と光通信を行う第二光通信手段と、センサ手段と接続するインターフェース手段と、電池電源とを有するものである。
【０００７】
これによって、センサ端末の設置が簡単で、しかもセンサ端末は端末装置と光通信で警報の設定や解除、センサ手段の状態を迅速に主装置へ通信することが可能となるものである。
【発明の効果】
【０００８】
本発明のセキュリティ装置は、センサ端末の設置が簡単で主装置との通信が迅速に行うことが可能である。
【発明を実施するための最良の形態】
【０００９】
第１の発明は、商用電源で動作する主装置と、この主装置と通信を行う端末装置と、この端末装置と通信を行うセンサ端末とを備え、主装置は、警報モードの設定や解除をする警報手段と、商用電源にデータを重畳して警報モードを送信する第一電灯線通信手段と、警報手段および第一電灯線通信手段を制御する制御手段とを有し、端末装置は、主装置と電灯線を介してデータ通信を行う第二電灯線通信手段と、第二電灯線通信手段の受信データを光で通信する第一光通信手段とを有し、センサ端末は、端末装置の第一光通信手段と光通信を行う第二光通信手段と、センサ手段と接続するインターフェース手段と、電池電源とを有するセキュリティ装置とすることにより、センサ端末の設置が簡単で、しかもセンサ端末は端末装置と光通信で警報の設定や解除、センサ手段の状態を迅速に主装置へ通信することが可能となるものである。また、センサ端末を無線装置のような受信状態にする必要がないため、電池の消費を格段に下げることが可能となる。
【００１０】
第２の発明は、特に、第１の発明において、センサ端末は、センサ手段を内蔵したことにより、システムの配線を削減することが可能となる。
【００１１】
第３の発明は、特に、第１または第２の発明において、主装置の第一電灯線通信手段は、複数の端末装置とデータ通信を可能にしたことにより、複数の部屋に設置したセンサ端末の制御が可能になる。
【００１２】
第４の発明は、特に、第１または第２の発明において、端末装置の第一光通信手段は、複数のセンサ端末と通信可能にしたことにより、１つの部屋の中における複数のセンサ端末を制御することが可能になる。
【００１３】
第５の発明は、特に、第１の発明において、主装置に公衆ネットワーク回線と接続可能な公衆回線通信手段を備えたことにより、センサ端末の内容を遠隔監視センターで確認することが可能となる。
【００１４】
第６の発明は、特に、第１の発明において、端末装置の第一光通信手段は、第三光通信手段を備えた端末機器の制御を可能にしたことにより、主装置からエアコンなどの端末機器の光通信機能をして制御することが可能となる。
【００１５】
第７の発明は、特に、第１の発明において、センサ端末の第二光通信手段は、第四光通信手段を備えたリモコンと通信可能にしたことにより、リモコンからセンサ端末の警報モードなどの設定や解除が可能になる。
【００１６】
第８の発明は、特に、第１の発明において、端末装置の第一光通信手段は、第四光通信手段を備えたリモコンと通信可能にしたことにより、リモコンにより主装置の警報モードの設定や解除が可能になる。
【００１７】
以下、本発明の実施の形態について、図面を参照しながら説明する。なお、この実施の形態によって本発明が限定されるものではない。
【００１８】
（実施の形態１）
図１は、本発明の実施の形態１におけるセキュリティ装置を示すものである。
【００１９】
図に示すように、主装置１は、システムの警報モードの設定や解除をする警報手段１ｂと、商用電源にデータを重畳して通信を行い、警報モードを送信する第一電灯線通信手段１aと、警報手段１ｂおよび第一電灯線通信手段１ａを制御する制御手段１ｃとを有しており、商用電源１ｄが供給されている。端末装置２は、主装置１の第一電灯線通信手段１ａと商用電源にデータを重畳して通信を行う第二電灯線通信手段２ａと、第二電灯線通信手段２ａの受信データを光で通信する第一光通信手段２ｂとを有しており、商用電源２ｃが供給されている。また、センサ端末３は、第一光通信手段２ｂと光通信を行う第二光通信手段３ａと、窓や扉に設けたセンサ手段４を接続するインターフェース手段（Ｉ／Ｆ手段）３ｂと，電池電源３ｃとを有している。
【００２０】
以上のように構成されたセキュリティ装置について、以下その動作、作用を説明する。
【００２１】
主装置１の警報手段１ｂによりセキュリティ装置を警報モードに設定する操作を行うと、主装置１と端末装置２は商用電源より常に受信が可能な状態になっているため、その内容は直ぐに第一電灯線通信手段１ａから端末装置２の第二電灯線通信手段２ａに伝送される。端末装置２は第二電灯線通信手段２ａが受信した内容を、第一光通信手段２ｂを動作させ光を出力する。この光出力はセンサ端末３の第二光通信手段３ａが受信し、センサ端末３を警報モードに設定することが可能となる。この状態で、センサ手段４が動作するとインターフェース手段３ｂを介して図示はしないが警報音発報手段から警報を鳴らすことが可能である。
【００２２】
また、主装置１から発報する場合も、センサ手段４の状態を第二光通信手段３ａ、第一光通信手段２ｂ、第二電灯線通信手段２ａ、第一電灯線通信手段１ａを介して警報手段１ｂに伝えて行うことが可能である。第二光通信手段２ａは図示はしないが赤外線受信装置を備え、構成されるマイクロコンピュータの割り込み機能を使用すれば消費電流を低く抑えることができ、無線装置により受信状態にする場合と比べて消費電力を極めて低く抑えることができる。
【００２３】
このように、本実施の形態では、センサ端末３の設置が簡単で、しかもセンサ端末３は端末装置２と光通信で警報の設定や解除、センサ手段４の状態を迅速に主装置１へ通信することが可能となるものである。また、センサ端末３を無線装置のような受信状態にする必要がないため、電池の消費を格段に下げることが可能である。
【００２４】
（実施の形態２）
図２は、本発明の実施の形態２におけるセキュリティ装置を示すものである。実施の形態１と同一要素については同一符号を付してその説明を省略する。
【００２５】
図に示すように、本実施の形態では、センサ端末３は、センサ手段４を内蔵しているものである。
【００２６】
これにより、センサ手段４が動作することにより、図示はしないがセンサ端末３の警報音発報手段から警報を鳴らすことが可能となる。また、主装置１から発報する場合も、センサ手段４の状態を第二光通信手段３ａ、第一光通信手段２ｂ、第二電灯線通信手段２ａ、第一電灯線通信手段１ａを介して警報手段１ｂに伝えて行うことができる。
【００２７】
このように、本実施の形態では、システムの配線を削減することが可能である。
【００２８】
（実施の形態３）
図３は、本発明の実施の形態３におけるセキュリティ装置を示すものである。実施の形態１と同一要素については同一符号を付してその説明を省略する。
【００２９】
図に示すように、本実施の形態では、主装置１の第一電灯線通信手段１ａは、複数の端末装置２、２１とデータ通信を可能にしたものである。
【００３０】
これにより、センサ端末３、３１のセンサ手段の変化はそれぞれ端末装置２、２１に内蔵されている光通信手段、電灯線通信手段を介して主装置１の第一電灯線通信手段１ａが受信することができる。また、端末装置２、２１は別々の部屋に設置され、主装置１の警報手段１ｂは複数の部屋の警報を設定・解除することが可能に構成されている。
【００３１】
このように、本実施の形態では、複数の部屋に設置したセンサ端末の制御が可能である。
【００３２】
（実施の形態４）
図４は、本発明の実施の形態４におけるセキュリティ装置を示すものである。実施の形態１と同一要素については同一符号を付してその説明を省略する。
【００３３】
図に示すように、本実施の形態では、端末装置２の第一光通信手段２ｂは、複数のセンサ端末３、３１と通信可能にしたものである。
【００３４】
これにより、１台の端末装置２から複数の窓などに設置しあるセンサ手段の情報を主装置１に伝送することが可能となる。また、主装置１からはセンサ端末３、３１をまとめて警報モードに設定することができる。
【００３５】
このように、本実施の形態では、１つの部屋の中における複数のセンサ端末を制御することが可能である。
【００３６】
（実施の形態５）
図５は、本発明の実施の形態５におけるセキュリティ装置を示すものである。実施の形態１と同一要素については同一符号を付してその説明を省略する。
【００３７】
図に示すように、本実施の形態では、主装置１に公衆ネットワーク回線と接続可能な公衆回線通信手段１ｆを備えたものである。
【００３８】
これにより、センサ端末３からのセンサ情報は第二光通信手段３ａ、第一光通信手段２ｂ、第二電灯線通信手段２ａ、第一電灯線通信手段１ａ、公衆回線通信手段１ｆを介して、図示はしないが遠隔監視センタなどに通報することが可能となる。また、遠隔監視センタからは主装置１やセンサ端末３の警報モードの設定や解除を行うこともできる。
【００３９】
このように、本実施の形態では、センサ端末の内容を遠隔監視センタで確認することが可能である。
【００４０】
（実施の形態６）
図６は、本発明の実施の形態６におけるセキュリティ装置を示すものである。実施の形態１と同一要素については同一符号を付してその説明を省略する。
【００４１】
図に示すように、本実施の形態では、端末装置２の第一光通信手段２ｂは、第三光通信手段５ａを備えたエアコンなどの端末機器５ａの制御を可能にしたものである。
【００４２】
これにより、主装置１からの指示により端末装置２の第一光通信手段２ｂから第三光通信手段５ａを介して端末機器５の動作を制御することができる。
【００４３】
このように、本実施の形態では、主装置からエアコンなどの端末機器の光通信機能をして制御することが可能である。
【００４４】
（実施の形態７）
図７は、本発明の実施の形態７におけるセキュリティ装置を示すものである。実施の形態１と同一要素については同一符号を付してその説明を省略する。
【００４５】
図に示すように、センサ端末３の第二光通信手段３ａは、第四光通信手段６ａを備えたリモコン６と通信可能にしたものである。
【００４６】
これにより、リモコン６から第二光通信手段３ａと光通信を行い、センサ端末３を警報モードなどの設定・解除をすることができる。
【００４７】
このように、本実施の形態では、リモコンからセンサ端末の警報モードなどの設定や解除が可能である。
【００４８】
（実施の形態８）
図８は、本発明の実施の形態８におけるセキュリティ装置を示すものである。実施の形態１と同一要素については同一符号を付してその説明を省略する。
【００４９】
図に示すように、本実施の形態では、端末装置２の第一光通信手段２ｂは、第四光通信手段６ａを備えたリモコン６と通信可能にしたものである。
【００５０】
これにより、リモコン６から光通信を使用して端末装置２の第一光通信手段２ｂと光通信が可能となり、リモコン６から第二電灯線通信手段２ａ、第一電灯線通信手段１ａを介して主装置１を警報モードに設定・解除することができる。
【００５１】
このように、本実施の形態では、リモコンにより主装置の警報モードの設定や解除が可能である。
【００５２】
以上のように、本発明の各実施の形態におけるセキュリティ装置は、センサ手段の取付け易さを確保したままで、主装置１とセンサ端末３の通信を迅速に行うことが可能となる。
【産業上の利用可能性】
【００５３】
以上のように、本発明にかかるセキュリティ装置は、センサ端末の設置が簡単で主装置との通信が迅速に行うことが可能であるので、ＡＶ機器や設備機器などの遠隔制御の用途にも適用できる。
【図面の簡単な説明】
【００５４】
【図１】本発明の実施の形態１におけるセキュリティ装置のブロック図
【図２】本発明の実施の形態２におけるセキュリティ装置のブロック図
【図３】本発明の実施の形態３におけるセキュリティ装置のブロック図
【図４】本発明の実施の形態４におけるセキュリティ装置のブロック図
【図５】本発明の実施の形態５におけるセキュリティ装置のブロック図
【図６】本発明の実施の形態６におけるセキュリティ装置のブロック図
【図７】本発明の実施の形態７におけるセキュリティ装置のブロック図
【図８】本発明の実施の形態８におけるセキュリティ装置のブロック図
【図９】従来のセキュリティ装置のブロック図
【符号の説明】
【００５５】
１  主装置
１ａ  第一電灯線通信手段
１ｂ  警報手段
１ｃ  制御手段
１ｆ  公衆回線通信手段
２、２１  端末装置
２ａ  第二電灯線通信手段
２ｂ  第一光通信手段
３、３１  センサ端末
３ａ  第二光通信手段
３ｂ  インターフェース手段（Ｉ／Ｆ手段）
３ｃ  電池電源
４  センサ手段
５  端末機器
５ａ  第三光通信手段
６  リモコン
６ａ  第四光通信手段
【図１】
2006338087.tif 000003
【図２】
2006338087.tif 000004
【図３】
2006338087.tif 000005
【図４】
2006338087.tif 000006
【図５】
2006338087.tif 000007
【図６】
2006338087.tif 000008
【図７】
2006338087.tif 000009
【図８】
2006338087.tif 000010
【図９】
2006338087.tif 000011